(57)【要約】  複数のコンピュータ間でアプリケーションを同期させる際の利便性を向上させる。コンピュータが、複数のアプリケーションのそれぞれの起動実績を示す起動情報を起動情報記憶部に記憶し、起動実績に基づいて、アプリケーションの実行時に必要となる構成要素を同期サーバとの間で同期させる優先度をアプリケーションごとに決定し、決定された優先度に従って、同期サーバとの間で構成要素の送受信を行う。
2013183099.tif 000002
【特許請求の範囲】
【請求項１】
コンピュータを、
複数のアプリケーションのそれぞれの起動実績を示す起動情報を記憶する起動情報記憶部、
前記起動実績に基づいて、アプリケーションの実行時に必要となる構成要素を同期サーバとの間で同期させる優先度をアプリケーションごとに決定する優先度決定部、
前記決定された優先度に従って、前記同期サーバとの間で前記構成要素の送受信を行う同期通信部、
として機能させるためのプログラム。
【請求項２】
請求項１に記載のプログラムであって、
前記コンピュータを、さらに、
アプリケーションの起動状態を監視して前記起動情報を生成する起動情報生成部、
として機能させるためのプログラム。
【請求項３】
請求項１または２に記載のプログラムであって、
前記起動情報には、アプリケーションの起動回数を示す情報が含まれ、
前記優先度決定部は、起動回数が多くなるに従って前記優先度を高くする、
プログラム。
【請求項４】
請求項１〜３の何れか一項に記載のプログラムであって、
前記起動情報には、アプリケーションの起動時間を示す情報が含まれ、
前記優先度決定部は、起動時間が長くなるに従って前記優先度を高くする、
プログラム。
【請求項５】
コンピュータが、
複数のアプリケーションのそれぞれの起動実績を示す起動情報を起動情報記憶部に記憶し、
前記起動実績に基づいて、アプリケーションの実行時に必要となる構成要素を同期サーバとの間で同期させる優先度をアプリケーションごとに決定し、
前記決定された優先度に従って、前記同期サーバとの間で前記構成要素の送受信を行う、
同期方法。
【発明の詳細な説明】
【技術分野】
【０００１】
本発明は、同期プログラム及び同期方法に関する。
【背景技術】
【０００２】
パーソナルコンピュータ（ＰＣ）や携帯端末等の情報処理装置では、文書作成ソフトウェアやウェブブラウザなどの様々なアプリケーションを実行することが可能である。通常、このようなアプリケーションは、情報処理装置ごとにインストールされたうえで使用される。そのため、例えば複数のＰＣを保有しているユーザが、これら複数のＰＣ上で同じアプリケーションを使用する場合は、各ＰＣに対して個別にアプリケーションをインストールする必要がある。さらに、アプリケーションを使用する際のユーザ設定についても、各ＰＣにおいて個別に行う必要がある。このように、複数のＰＣで同一のアプリケーションを使用するのは非常に煩雑となる場合が多い。【０００３】
また、近年普及しつつある、ＳａａＳ（Ｓｏｆｔｗａｒｅ  ａｓ  ａ  Ｓｅｒｖｉｃｅ）などのサービスを用いることにより、各ＰＣに対して個別にアプリケーションをインストールしない構成も考えられる（例えば、特許文献１）。しかしながら、このようなサービスを用いる場合、利用可能なアプリケーションはサービス事業者から提供されるものに限られてしまう。
【先行技術文献】
【特許文献】
【０００４】
【特許文献１】特開２００９−２７７０８９号公報
【発明の概要】
【発明が解決しようとする課題】
【０００５】
そこで、例えば、各ＰＣに対して個別にアプリケーションをインストールするのではなく、１台のＰＣにインストールされたアプリケーションの実行ファイルやデータファイルなどの関連ファイルを複数のＰＣ間で共有する、すなわち、アプリケーションを同期させることも考えられる。ここで、同期対象のアプリケーションが複数存在する場合、どのような順序でアプリケーションを同期させるかが問題となる。例えば、単純に、アプリケーション名の順序や、同期対象として登録された順序に従ってアプリケーションを同期させることも可能であるが、これらの順序はユーザが希望する順序とは異なる場合が多い。例えば、早く使用したいアプリケーションの同期順序が後になってしまうと、このアプリケーションの同期が完了するまでの時間が長くなってしまい、利便性が低下する可能性がある。【０００６】
そこで、本発明は、複数のコンピュータ間でアプリケーションを同期させる際の利便性を向上させることを目的とする。
【課題を解決するための手段】
【０００７】
本発明の一側面に係る同期プログラムは、コンピュータを、複数のアプリケーションのそれぞれの起動実績を示す起動情報を記憶する起動情報記憶部、起動実績に基づいて、アプリケーションの実行時に必要となる構成要素を同期サーバとの間で同期させる優先度をアプリケーションごとに決定する優先度決定部、決定された優先度に従って、同期サーバとの間で構成要素の送受信を行う同期通信部、として機能させるためのものである。【０００８】
また、本発明の一側面に係る同期方法では、コンピュータが、複数のアプリケーションのそれぞれの起動実績を示す起動情報を起動情報記憶部に記憶し、起動実績に基づいて、アプリケーションの実行時に必要となる構成要素を同期サーバとの間で同期させる優先度をアプリケーションごとに決定し、決定された優先度に従って、同期サーバとの間で構成要素の送受信を行う。【０００９】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【００１０】
本発明によれば、複数のコンピュータ間でアプリケーションを同期させる際の利便性を向上させることが可能となる。
【図面の簡単な説明】
【００１１】
【図１】本発明の一実施形態におけるアプリケーション同期システムの構成例を示す図である。
【図２】同期サーバが有する機能の一例を示すブロック図である。
【図３】同期用データの一例を示す図である。
【図４】ＰＣが有する機能の一例を示すブロック図である。
【図５】同期設定の際に表示される画面の一例を示す図である。
【図６】同期設定の一例を示す図である。
【図７】同期対象のアプリケーションを起動する画面の一例を示す図である。
【図８】起動情報の一例を示す図である。
【図９】アプリケーションの同期処理の一例を示すフローチャートである。
【発明を実施するための形態】
【００１２】
以下、図面を参照して本発明の一実施形態について説明する。図１は、本発明の一実施形態であるアプリケーション同期システムの構成例を示す図である。図１に示すように、アプリケーション同期システムは、同期サーバ１０、及び複数台のパーソナルコンピュータ（ＰＣ）２０を含んで構成される。同期サーバ１０は、ユーザに対してアプリケーションを複数のＰＣ２０間で同期可能とするためのサービスを提供するものであり、１台または複数台の情報処理装置を用いて構成される。ＰＣ２０は、ユーザがアプリケーションを実行させるための情報処理装置であり、同期サーバ１０とインターネット等のネットワークを介して通信可能である。
【００１３】
ここで、例えばユーザ「ＵＳＥＲ００１」は、ＰＣ２０−１及びＰＣ２０−２の２台のＰＣを保有しているとする。このユーザ「ＵＳＥＲ００１」は、同期サーバ１０により提供されるアプリケーション同期システムを用いることにより、各ＰＣに個別にアプリケーションをインストールしたり、手動でデータを同期させたりする必要なく、ＰＣ２０−１及びＰＣ２０−２において同期された状態でアプリケーションを実行することが可能である。ここで、アプリケーションの同期とは、アプリケーションの実行環境を同一の状態にすることをいう。なお、実行環境には、アプリケーションの実行ファイルそのものや、ユーザデータ、設定情報などが含まれる。すなわち、複数のＰＣ間でアプリケーションが同期されることにより、ユーザはどのＰＣを用いる場合においても同じ状態でアプリケーションを実行することが可能となる。
【００１４】
図２は、同期サーバ１０が有する機能の一例を示すブロック図である。図２に示すように、同期サーバ１０は、同期通信部３０、ユーザアカウントデータベース（ＤＢ）３２、同期用データ記憶部３４を含んで構成される。これらの各部は、例えば、メモリや記憶装置等の記憶領域を用いたり、記憶領域に格納されているプログラムをプロセッサが実行したりすることにより実現することができる。
【００１５】
同期通信部３０は、ネットワークを介してＰＣ２０等の他の情報処理装置との間でデータの送受信を行うことが可能である。そして、同期通信部３０は、複数のＰＣ２０間でアプリケーションを同期させるための各種制御を行うことが可能である。具体的には、同期通信部３０は、同期対象のアプリケーションを複数のＰＣ２０間で同期させるための同期用データをＰＣ２０から受信して、同期用データ記憶部３４に格納することができる。また、同期通信部３０は、ＰＣ２０からの要求に応じて、同期用データ記憶部３４に格納されている同期用データをＰＣ２０に送信することができる。
【００１６】
ユーザアカウントＤＢ３２は、アプリケーション同期システムを利用するユーザのアカウント情報を記憶するものである。例えば、アカウント情報には、ユーザＩＤやパスワード、メールアドレスなどが含まれる。
【００１７】
同期用データ記憶部３４は、複数のＰＣ間でユーザのアプリケーション実行環境を同期させるためのデータである同期用データを記憶するものである。図３には、同期用データの構造の一例が示されている。図３に示す例では、同期用データは、同期用テーブルに格納されるデータと、データストレージに格納されるデータとにより構成されている。同期用テーブルには、ユーザＩＤ、アプリケーションＩＤ、アプリケーションファイルＩＤ、ユーザファイルＩＤ、及び更新日時が格納され、データストレージには、アプリケーションファイル及びユーザファイルが格納されている。同期用データ記憶部３４に格納されている同期用データは、同期通信部３０によって更新される。
【００１８】
ユーザＩＤは、各ユーザを識別するためのものであり、ユーザアカウントＤＢ３２に登録されている情報と同じものが使用されている。アプリケーションＩＤは、各ユーザが同期対象として選択したアプリケーションを識別するためのものである。このアプリケーションＩＤは、例えば、ユーザが同期対象のアプリケーションを同期サーバ１０に登録する際に設定することとしてもよいし、同期サーバ１０側で生成されることとしてもよい。
【００１９】
アプリケーションファイルは、同期対象のアプリケーションを実行するためのアプリケーションデータであり、実行ファイルやＤＬＬ（Ｄｙｎａｍｉｃ  Ｌｉｎｋ  Ｌｉｂｒａｒｙ）などを含んでいる。また、アプリケーションファイルには、ＰＣ２０においてアプリケーションデータを格納するフォルダを指定するための情報も含まれている。そして、アプリケーションファイルＩＤは、データストレージ内におけるアプリケーションファイルの格納場所を示すものである。
【００２０】
ユーザファイルは、アプリケーションの実行時に必要となるユーザデータである。ここで、ユーザデータとは、アプリケーションの実行時に参照されるユーザごとのデータであり、例えば、電子メールの送受信を行うための電子メールアプリケーションにおける各ユーザの電子メールデータや、Ｗｅｂブラウザにおける各ユーザのブックマークデータなどである。また、ユーザファイルには、ＰＣ２０においてユーザデータを格納するフォルダを指定するための情報も含まれている。そして、ユーザファイルＩＤは、データストレージ内におけるユーザファイルの格納場所を示すものである。
【００２１】
更新日時には、同期用アプリケーション、同期用ユーザデータ、または同期用設定情報が更新された日時が設定される。
【００２２】
アプリケーションファイル及びユーザファイルは、アプリケーションを実行するために必要な構成要素である。また、アプリケーションファイルやユーザファイル以外の情報が構成要素に含まれることとしてもよい。例えば、レジストリに格納された設定情報が構成要素に含まれることとしてもよい。
【００２３】
図４は、ＰＣ２０が有する機能の一例を示すブロック図である。図４に示すように、ＰＣ２０は、ファイル記憶部５０、アプリケーション実行部５２、同期設定部５４、同期設定記憶部５６、アプリケーション起動部５８、起動情報生成部６０、起動情報記憶部６２、及び同期通信部６４を含んで構成される。これらの各部は、例えば、メモリや記憶装置等の記憶領域を用いたり、記憶領域に格納されているプログラムをプロセッサが実行したりすることにより実現することができる。
【００２４】
ファイル記憶部５０は、ＰＣ２０において用いられる各種ファイルを記憶している。各種ファイルには、例えば、オペレーティングシステム（ＯＳ）やアプリケーションで用いられるプログラムやデータが含まれる。各ファイルは、ファイルパス名やファイル名などを含むファイルＩＤ（ファイル識別子）により識別することができる。
【００２５】
アプリケーション実行部５２は、ファイル記憶部５０に記憶されているアプリケーション（アプリケーションプログラム）を実行する。具体的には、アプリケーション実行部５２は、プログラムのインスタンスである「プロセス」を生成することにより、アプリケーションを実行する。各プロセスには、プロセスを識別するためのプロセスＩＤ（プロセス識別子）が割り当てられる。
【００２６】
同期設定部５４は、複数のＰＣ２０間でアプリケーションを同期させるための設定を行うものである。図５には、同期設定の際に表示される画面の一例が示されている。この画面は、アプリケーション同期システム用のプログラムが起動されることにより表示される。ユーザは、この画面を用いることにより、同期対象のアプリケーションを登録したり、同期された状態のアプリケーションを起動したりすることができる。例えば、ユーザが、ＰＣ２０のデスクトップ等にある、あるアプリケーション「ＡＰＬ００１」のショートカット１１０をドラッグアンドドロップによって画面１００の表示領域１１２に移動させると、同期設定部５４は、このショートカットにより特定されるアプリケーションを同期対象のアプリケーションとして登録する。なお、ドラッグアンドドロップに限らず、同期対象のアプリケーションを同期設定部５４に認識させるための任意の手法を用いることができる。例えば、図５に示すように、アプリケーション追加ボタン１１４を押下してファイル参照用のインタフェースを表示させることにより、登録対象のアプリケーションが特定されることとしてもよい。そして、同期設定部５４は、同期対象のアプリケーションに関する情報を同期設定記憶部５６に格納する。なお、同期設定部５４は、同期対象のアプリケーションに関する情報を同期設定部５６に格納するのではなく、同期サーバ１０の同期用データ記憶部３４に格納することとしてもよい。
【００２７】
図６は、同期設定記憶部５６に記憶される同期設定の一例が示されている。図６に示すように、同期設定には、ユーザＩＤ、パスワード、アプリケーションＩＤ、アプリケーションファイルＩＤ、ユーザファイルＩＤ、及び更新日時を示す情報が含まれている。ユーザＩＤ及びパスワードは、アプリケーション同期システムを用いるためのものであり、例えば、本システムの利用開始時に同期設定部５４により登録される。アプリケーションＩＤ、アプリケーションファイルＩＤ、ユーザファイルＩＤ、及び更新日時は、同期サーバ１０の同期用データ記憶部３４に格納されている情報と同等のものである。
【００２８】
図４に戻り、アプリケーション起動部５８は、ユーザ操作に応じて同期対象のアプリケーションを起動する。例えば、アプリケーション起動部５８は、図７に示す画面１００において、アプリケーションＡＰＬ００１に割り当てられた表示領域１２０が選択されると、同期設定記憶部５６に格納されている同期設定を参照し、アプリケーションＡＰＬ００１を起動する。アプリケーション起動部５８により起動されたアプリケーションは、他のアプリケーションと同様に、アプリケーション実行部５２により実行される。
【００２９】
起動情報生成部６０は、同期対象のアプリケーションの起動実績を示す起動情報を生成し、起動情報記憶部６２に格納する。起動実績には、例えば、起動回数や起動時間、起動日時、起動時間帯、起動間隔などが含まれる。起動情報生成部６０は、例えば、同期対象のアプリケーションの実行を監視することにより、起動情報を生成することができる。具体的には、例えば、起動情報生成部６０は、図７に示した画面１００におけるアプリケーションの起動指示を検出することにより、アプリケーションの起動回数を検出することができる。また例えば、起動情報生成部６０は、同期対象のアプリケーションの実行を監視し、そのプロセスが実行されている時間を検出することにより、アプリケーションの起動時間を検出することができる。アプリケーションの起動時間は、例えば、起動時間の累計であってもよいし、平均であってもよい。また、起動回数や起動時間を集計する期間は、例えば、過去１か月間などの所定期間であってもよいし、直近に同期したタイミングから現在までの期間であってもよい。また、起動情報生成部６０は、例えば、ＰＣ２０のＯＳが出力するログ情報を参照することによって、起動情報を生成することとしてもよい。
【００３０】
図８は、起動情報記憶部６２に記憶される起動情報の一例を示す図である。図８に示す例では、起動情報には、アプリケーションＩＤ、起動回数、及び起動時間が含まれている。図８に示す例では、アプリケーションＩＤ「ＡＰＬ００１」の起動回数が「３回」、起動時間が「３時間２５分４２秒」であり、アプリケーションＩＤ「ＡＰＬ００２」の起動回数が「５回」、起動時間が「０時間１５分３９秒」となっている。図８に示す例では示していないが、起動日時や起動時間帯等の起動実績を示す様々な情報についても同様に、アプリケーションごとに起動情報記憶部６２に記憶することができる。
【００３１】
図４に戻り、同期通信部６４は、複数のＰＣ２０間でアプリケーションを同期させるためのデータ通信を行うものである。具体的には、同期通信部６４は、同期設定記憶部５６を参照し、同期対象のアプリケーションのアプリケーションファイル及びユーザファイルを、同期サーバ１０との間で同期させることができる。例えば、同期通信部６４は、同期設定記憶部５６に記憶されている同期設定の内容と、同期サーバ１０の同期用データ記憶部３４に記憶されている同期用データの内容とを比較することにより、アプリケーションファイル及びユーザファイルの内容を、アプリケーションＩＤごとに最新の状態に合わせることが可能である。
【００３２】
例えば、同期通信部６４は、アプリケーションごとに更新日時を比較することにより、同期サーバ１０内のファイルまたはＰＣ２０内のファイルの何れが新しいかを判定することができる。同期サーバ１０内のファイルの方が新しい場合、同期通信部６４は、該アプリケーションのアプリケーションファイル及びユーザファイルを同期サーバ１０からダウンロードすることにより、アプリケーションを同期させることができる。また、ＰＣ２０内のファイルの方が新しい場合、同期通信部６４は、該アプリケーションのアプリケーションファイル及びユーザファイルを同期サーバ１０にアップロードすることにより、アプリケーションを同期させることができる。
【００３３】
また、同期通信部６４は、起動情報記憶部６２に記憶されている起動情報に基づいて、アプリケーションを同期させる際の優先度を決定することができる。一例として、起動情報記憶部６２に、図８に示した２件の起動情報が格納されている場合を想定する。この場合、同期通信部６４は、アプリケーション「ＡＰＬ００１」と、アプリケーション「ＡＰＬ００２」の同期順序を、起動情報に基づいて決定することができる。
【００３４】
例えば、同期通信部６４は、起動回数が多いアプリケーションの同期順序を早くすることができる。図８に示した２件の場合、アプリケーション「ＡＰＬ００１」の起動回数は「３回」、アプリケーション「ＡＰＬ００２」の起動回数は「５回」である。したがって、同期通信部６４は、例えば、起動回数の多いアプリケーション「ＡＰＬ００２」を、アプリケーション「ＡＰＬ００１」より先に同期させることとしてもよい。
【００３５】
また例えば、同期通信部６４は、起動時間が長いアプリケーションの同期順序を早くすることができる。図８に示した２件の場合、アプリケーション「ＡＰＬ００１」の起動時間は「３時間２５分４２秒」、アプリケーション「ＡＰＬ００２」の起動時間は「０時間１５分３９秒」である。したがって、同期通信部６４は、例えば、起動時間の長いアプリケーション「ＡＰＬ００１」を、アプリケーション「ＡＰＬ００２」より先に同期させることとしてもよい。
【００３６】
なお、同期通信部６４は、起動情報に含まれる複数の指標に基づいて、アプリケーションを同期させる際の優先度を決定することとしてもよい。例えば、起動情報に含まれる各指標のスコアを算出し、複数の指標のスコアを合計することにより、各アプリケーションの優先度を算出してもよい。なお、各指標のスコアを合計する際に、指標ごとに重みづけが設定されることとしてもよい。また例えば、指標の優先度が設定されていることとしてもよい。一例として、起動情報に起動回数及び起動時間が含まれる場合、起動回数の優先度が高く設定されていることとしてもよい。この場合、同期通信部６４は、まず起動回数に基づいて、アプリケーションの優先度を決定することができる。そして、起動回数が同一である場合には、同期通信部６４は、さらに、起動時間に基づいてアプリケーションの優先度を決定することができる。
【００３７】
なお、同期通信部６４は、アプリケーションを逐次的に同期させるのではなく、複数のアプリケーションを並列的に同期させることとしてもよい。具体的には、同期通信部６４は、例えば、２つのアプリケーションを並列に同期させることとしてもよい。このように複数のアプリケーションを並列的に同期させる場合においても、同期通信部６４は、優先度に従ってアプリケーションの同期を制御することとしてもよい。例えば、同期通信部６４は、並列的に同期されているアプリケーションのうち、優先度の高いアプリケーションの通信時間の割合が大きくなるように、アプリケーションの同期を制御することとしてもよい。
【００３８】
なお、同期通信部６４が同期サーバ１０との間で通信を行うタイミングは、例えば、アプリケーション起動部５８が画面１００を起動した際や、同期対象のアプリケーションが終了した際、タイマにより設定される所定間隔など、任意のタイミングであってよい。
【００３９】
また、同期通信部６４は、起動情報に応じた優先度に基づいて、アプリケーションを同期させるタイミングを決定することとしてもよい。例えば、同期通信部６４は、優先度が比較的高いアプリケーションについては、所定の短い間隔でアプリケーションを同期させ、優先度が比較的低いアプリケーションについては、アプリケーション起動部５８によって起動された際にアプリケーションを同期させることとしてもよい。
【００４０】
起動情報に含まれる起動回数や起動時間等が、直近に同期したタイミングから現在までの期間における起動実績を示す情報である場合、同期通信部６４は、同期処理を行ったアプリケーションの起動情報を初期値にリセットすることができる。
【００４１】
次に、ＰＣ２０における同期処理の流れについて説明する。図９は、同期処理の一例を示すフローチャートである。起動情報生成部６０は、アプリケーションごとに起動情報を生成し、起動情報記憶部６２に格納する（Ｓ９０１）。例えば、起動情報生成部６０は、同期対象のアプリケーションの起動状態を監視したり、ＰＣ２０のＯＳから出力されるログ情報を参照したりすることにより、起動情報を生成することができる。起動情報生成部６０は、同期指示が発行されるまで（Ｓ９０２：Ｎ）、起動情報の生成を繰り返し実行する。
【００４２】
同期指示が発行されると（Ｓ９０２：Ｙ）、同期通信部６４は、起動情報記憶部６２に記憶されている起動情報に基づいて各アプリケーションの同期の優先度を決定する（Ｓ９０３）。同期通信部６４は、同期指示が発行されるより前に、起動情報記憶部６２を参照し、同期の優先度を決定しておくこととしてもよい。なお、同期指示は、例えば、アプリケーション起動部５８が画面１００を起動した際や、同期対象のアプリケーションが終了した際、タイマにより設定される所定間隔など、任意のタイミングで発行される。
【００４３】
同期通信部６４は、決定された優先度に従って、同期対象のアプリケーションの同期処理を実行する（Ｓ９０４）。具体的には、同期通信部６４は、同期設定部５６を参照し、同期対象のアプリケーションの構成要素を同期サーバ１０とＰＣ２０との間で同期させるためのデータ通信を実行する。この際に、同期通信部６４は、例えば、優先度が高いアプリケーションから順に同期処理を実行することができる。
【００４４】
以上、本実施形態のアプリケーション同期システムについて説明した。本実施形態によれば、アプリケーションごとの起動実績を示す起動情報に基づいて、アプリケーションの実行時に必要となる構成要素を同期サーバとの間で同期させる際のアプリケーションの優先度を決定することができる。そして、このように決定された優先度に従って、同期サーバとの間で構成要素の送受信を行うことができる。
【００４５】
つまり、本実施形態によれば、各アプリケーションの同期処理が、各アプリケーションの起動実績に応じた優先度で行われることとなる。したがって、例えば、起動回数が多いアプリケーションや、起動時間が長いアプリケーションを優先的に同期させることができる。このように、起動回数が多いアプリケーションや、起動時間が長いアプリケーションは、ユーザが良く利用するアプリケーションであると考えられる。そのため、このようなアプリケーションの同期処理を優先的に行うことにより、このようなアプリケーションが使用可能となるまでの待ち時間を削減することができる。これにより、複数のコンピュータ間でアプリケーションを同期させる際の利便性を向上させることが可能となる。
【００４６】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【００４７】
例えば、本実施形態では、アプリケーション同期システムにおいてアプリケーションを実行するクライアントをＰＣとしたが、クライアントはＰＣに限られず、携帯端末等の任意の情報処理装置を用いることが可能である。
【００４８】
また例えば、本実施形態では、起動回数や起動時間に基づいてアプリケーションを同期させる際の優先度を決定することとしたが、優先度を決定する際の指標はこれに限られない。例えば、起動情報には、起動日時や起動時間帯、起動間隔を示す情報が含まれることとしてもよい。そして、同期通信部６４は、例えば、アプリケーションの起動日時や起動時間帯、起動間隔に基づいて優先度を決定することとしてもよい。具体的には、例えば、同期通信部６４は、同期処理を実行する時刻近辺での実行頻度が高いアプリケーションの優先度を高くすることとしてもよい。
【符号の説明】
【００４９】
１０  同期サーバ
２０  ＰＣ
３０  同期通信部
３２  ユーザアカウントＤＢ
３４  同期用データ記憶部
５０  ファイル記憶部
５２  アプリケーション実行部
５４  同期設定部
５６  同期設定記憶部
５８  アプリケーション起動部
６０  起動情報生成部
６２  起動情報記憶部
６４  同期通信部
【図１】
2013183099.tif 000003
【図２】
2013183099.tif 000004
【図３】
2013183099.tif 000005
【図４】
2013183099.tif 000006
【図５】
2013183099.tif 000007
【図６】
2013183099.tif 000008
【図７】
2013183099.tif 000009
【図８】
2013183099.tif 000010
【図９】
2013183099.tif 000011
【国際調査報告】
2013183099.tif 000012
2013183099.tif 000013